(57)【要約】【課題】ボール包持室にインキを溜める空間を確保すると共に、ボール保持室にインキがしっかり供給されるボールペンチップを提供すること。【解決手段】チップ本体が前後に貫通するインキ流通孔２ａを備え、インキ流通孔２ａが、底壁２ｄを備えたボール包持室２ｃと、ボール包持室２ｃの中央から後方へ向って延びチップ後部孔２ｉと連通するインキ連絡路２ｈと、インキ連絡路２ｈから放射状に延びるインキ流通溝２ｂと、を有し、ボール包持室２ｃにはボール３挿置され、インキ流通溝２ｂが、チップ後部孔２ｉの前壁２ｊにインキ連絡路２ｈから放射状に延び且つボール包持室２ｃに連通しないよう形成された第一インキ溝２ｂ１を有し、ボール包持室２ｃに、底壁２ｄから前方へ向って突出するように形成された複数の肉盛り部２ｅが形成され、肉盛り部２ｅによりボール３が支持されるよう構成する。【選択図】図１
2020138480.tif 000002
【特許請求の範囲】
【請求項１】
チップ本体が軸心に沿った方向に貫通するインキ流通孔を備え、前記インキ流通孔が、該インキ流通孔の前部に形成され底壁を備えたボール包持室と、当該インキ流通孔の後部に形成され前壁を備えたチップ後部孔と、前記ボール包持室の中央から後方へ向って延び前記チップ後部孔と連通するインキ連絡路と、前記インキ連絡路から放射状に延びるインキ流通溝と、を有し、前記ボール包持室内にはボールが挿置され、前記ボールの一部をチップ先端部より突出させて回転自在に抱持してなるボールペンチップにおいて、
前記インキ流通溝が、前記チップ後部孔の前壁に前記インキ連絡路から放射状に延び且つ前記ボール包持室に連通しないよう形成された第一インキ溝を有し、
前記ボール包持室に、前記底壁から前方へ向って突出するように形成された複数の肉盛り部が形成されると共に、前記肉盛り部は前記第一インキ溝に対して軸心に沿った方向において同軸上に形成され、前記肉盛り部により前記ボールが支持されるよう構成したことを特徴とするボールペンチップ。
【請求項２】
前記肉盛り部は、第一インキ溝を形成する際に前記底壁の一部が前方へ向って盛り上がることで形成されることを特徴とした請求項１に記載のボールペンチップ。
【請求項３】
前記インキ流通溝が、前記ボール包持室の底壁に前記インキ連絡路から放射状に延び且つ前記チップ後部孔に連通しないよう形成された第二インキ溝を有していることを特徴とする請求項２に記載のボールペンチップ。
【発明の詳細な説明】
【技術分野】
【０００１】
本発明は、ボーペンチップ関し、特に、インキの流動性を向上するためのボールペンチップの構造に関する。
【背景技術】
【０００２】
従来から、チップ本体が前後に貫通するインキ流通孔を備え、インキ流通孔には、該インキ流通孔の前部に形成され底壁を備えたボール包持室と、前記ボール包持室の底壁の中央から後方へ向って延びチップ後部孔と連通するインキ連絡路と、インキ連絡路から放射状に延びるインキ流通溝と、を有し、ボール包持室にボールが挿置され、ボールの一部を該チップ先端部より突出させて回転自在に抱持してなるボールペンチップについてはよく知られている。
【０００３】
こうした、従来のボールペンチップにおいて、インキ流通孔を大きく形成することや特許文献１（特開平８−１１８８９６号公報「修正ペンのチップ」）のように、インキ流通溝を後部孔に達するように形成する等、ボールへのインキ供給量を多くするために、数多く提案されている。
【０００４】
一方、特許文献２（特開２００５−７８７６号公報「塗布具用チップ、塗布具用チップの製造方法、塗布具」）のように、ボール抱持室の座面と側壁面との接続面が、先端に向かって突出形状とし、塗布液の流出性がより高い塗布具が提案されている。
【０００５】
しかし、特許文献１等、従来のボールペンチップでは、インキ供給量を多くする等を目的とし、インキ流通溝を後部孔に達する形状とすると、インキ流通溝を形成する加工ツールの負荷が大きく、ツール寿命が短くなる等、製造コストが高騰する問題を有していた。
【０００６】
また、特許文献２では、ボール抱持室の座面と側壁面との接続面が、先端に向かって突出形状とすることで、インキを溜める空間が多くなるが、後部孔からボールまでのインキ供給量を多くしないと筆跡の濃淡にバラツキがでたりかすれが発生する虞があった。
【先行技術文献】
【特許文献】
【０００７】
【特許文献１】特開平８−１１８８９６号公報
【特許文献２】特開２００５−７８７６号公報
【発明の概要】
【発明が解決しようとする課題】
【０００８】
しかし、特許文献１のボールペンチップ構造では、後部孔からボール包持室に供給するインキ量を多くすることを最大の目的としており、それを達成するためインキ流通溝を後部孔に達する形状としている。このため、インキ流通溝を形成する加工ツールへの負荷が大きく、ツール寿命が短くなると共に、加工ツールが後部孔に抜ける際に抜けバリが発生することでバリ取り工程を別途設ける必要があり、製造コストが高騰するという問題があった。
【０００９】
また、特許文献２では、ボール抱持室の座面と側壁面との接続面が先端に向かって突出形状とすることで、インキを溜める空間が多くなるが、後部孔からボールまでのインキ供給量を多くすることの解決には到っていない。
【００１０】
本発明はこれらの従来技術に鑑みてなされたものであって、ボール包持室にインキを溜める空間を確保すると共に、ボール保持室にインキがしっかり供給されるボールペンチップを提供することを目的とする。
【課題を解決するための手段】
【００１１】
本発明は、
「１．チップ本体が軸心に沿った方向に貫通するインキ流通孔を備え、前記インキ流通孔が、該インキ流通孔の前部に形成され底壁を備えたボール包持室と、当該インキ流通孔の後部に形成され前壁を備えたチップ後部孔と、前記ボール包持室の中央から後方へ向って延び前記チップ後部孔と連通するインキ連絡路と、前記インキ連絡路から放射状に延びるインキ流通溝と、を有し、前記ボール包持室内にはボールが挿置され、前記ボールの一部をチップ先端部より突出させて回転自在に抱持してなるボールペンチップにおいて、
前記インキ流通溝が、前記チップ後部孔の前壁に前記インキ連絡路から放射状に延び且つ前記ボール包持室に連通しないよう形成された第一インキ溝を有し、
前記ボール包持室に、前記底壁から前方へ向って突出するように形成された複数の肉盛り部が形成されると共に、前記肉盛り部は前記第一インキ溝に対して軸心に沿った方向において同軸上に形成され、前記肉盛り部により前記ボールが支持されるよう構成したことを特徴とするボールペンチップ。
２．前記肉盛り部は、第一インキ溝を形成する際に前記底壁の一部が前方へ向って盛り上がることで形成されることを特徴とした前記１項に記載のボールペンチップ。
３．前記インキ流通溝が、前記ボール包持室の底壁に前記インキ連絡路から放射状に延び且つ前記チップ後部孔に連通しないよう形成された第二インキ溝を有していることを特徴とする前記２項に記載のボールペンチップ。」である。
尚、本発明では、チップ本体のボール包持室がある側を前方と表現し、その反対方向を後方と表現する。また、チップ本体のインキ連絡路がある軸心側を内方と表現し、その反対方向を外方と表現する。
【００１２】
本願発明のボールペンチップの構成によれば、ボール包持室の底壁に前方へ向って突出する肉盛り部を形成し、肉盛り部でボールを支持していることから、肉盛り部の周囲に隙間が形成される。このため、肉盛り部の周囲がインキ溜まりになると共にインキの流路となるため、ボール近傍により多くのインキが供給されることになり良好な筆跡での筆記が可能となる。
尚、一般的なボールペンチップは特許文献１及び特許文献２のように、ボール包持室の底部にインキ連絡路から放射状に延びるようにインキ流通溝を、溝形成用ツールを底部に打ち込み、塑性変形させることで形成することが多いが、本発明では肉盛り部によりその周囲がインキ流通溝の役目も果たすため、前方から溝形成加工をすることなくインキ流通溝を形成することができる。
【００１３】
また、本発明では、インキ流通溝となる第一インキ溝が、チップ後部孔の前壁にインキ連絡路から放射状に延び且つボール包持室に連通しないよう形成してある。このため、チップ後部孔からボール包持室へインキが流動する際の流動量が増大することで、チップ包持室内のインキが枯渇することがなく、安定した筆跡で筆記を継続することができる。
【００１４】
更に、本発明のボール包持室の底壁に形成する肉盛り部は、各稜線部が曲線またはテーパ面となるように形成することが好ましく、この場合、肉盛り部の周囲をインキが流れる際のインキ流動性が向上するため、ボールの周囲へのインキ供給がよりスムーズになる効果を奏する。そして、肉盛り部の各稜線が曲線状ないしテーパ状となることで当該肉盛り部でボールを支持する際の接触抵抗が減少するため、筆記時のボールの回転が良くなることで筆記した際の筆感が向上する。
【００１５】
また、ボール包持室の底壁に肉盛り部を形成する手段としては、特に限定されないが、第一インキ溝を形成する際、チップ後部孔側から外周部に突起部を有する溝形成ツールを打ち込み、その打ち込まれた部分がボール包持室の底壁から前方へ盛り上がることで肉盛り部が形成されるようにしてもよく、この場合、第一インキ溝を形成することで肉盛り部も同時に形成されるため、一度の加工で２箇所の部位の加工が同時にできることから、非常に効率的で優れた効果を奏する。そして、肉盛り部をツールを打ち込むことによる盛り上げ加工で形成する場合は、肉盛り部の各稜線は自然と曲線状ないしテーパ状に形成されるため、肉盛り部の各角部を後からまるめ加工やテーパ加工をする必要がなく、より効率的である。尚、肉盛り部を前記した第一インキ溝形成時に同時に形成される加工方法で形成する場合、ボールを前方から肉盛り部に向って押圧し、肉盛り部の前部にボール座を形成して当該ボールを支持する事で、複数形成された肉盛り部の高さにバラツキが発生しても肉盛り部でボールが安定的に支持され良好なボールの回転を維持できるためボール座を形成することが好ましい。
【００１６】
更に、インキ流通溝として、ボール包持室の底壁にインキ連絡路から放射状に延びチップ後部孔に連通しないよう第二インキ溝を形成してもよく、この場合、チップ後部孔からボール包持室へのインキの流動が、第一インキ溝からインキ連絡路を介して第二インキ溝に流れることで更にスムーズに行われるようになる。
尚、本発明における第一インキ溝と第二インキ溝の溝形成用ツールを打ち込むことで形成する場合は、第一インキ溝と第二インキ溝とがそれぞれボール包持室の底壁とチップ後部孔の前壁まで打ち抜かず、直接連通しないよう形成することで、溝形成用ツールへの負荷を小さくし、ツール寿命が延びると共に、ツールが底壁及び前壁に抜けることで発生するバリの形成を防止できるため、加工品質が向上すると共にバリを除去するための工程を設けなくて済むことから加工コストを低減する効果を奏する。
【発明の効果】
【００１７】
本発明により、ボール包持室にインキを溜める空間を確保すると共に、ボール保持室にインキがしっかり供給されるボールペンチップを提供することができた。
【図面の簡単な説明】
【００１８】
【図１】実施例１のボールペンチップの一部省略した要部拡大縦断面図である。
【図２】図１におけるボールを省略したＡ−Ａ断面図であり、一部省略した図である。
【図３】図１におけるＢ−Ｂ断面図であリ、一部省略した図である。
【図４】図１におけるのボールペンチップの製造方向を示す一部省略した要部拡大縦断面図であり、図４（Ａ）はチップ本体に溝加工用ツールＸを打ち込む際の状態を示した図であり、図４（Ｂ）第一インキ溝が形成された状態を示した図であり、図４（Ｃ）は図４（Ｂ）におけるＣ−Ｃ断面図である。
【図５】実施例１のボールペンチップを用いたボールペンレフィルを示す図である。
【発明を実施するための形態】
【００１９】
実施例１
図１から図３に示すように、実施例１のボールペンチップ１は、前後に貫通しインキ４が流れるインキ流通孔２ａを備えたチップ本体２と、インキ流通孔２ａから放射状に延びたインキ流通溝２ｂと、インキ流通孔２ａの前端側に形成されたボール包持室２ｃと、を有し、ボール包持室２ｃの底壁２ｄに前方へ向って突出するように形成した肉盛り部２ｅを形成し、肉盛り部２ｅに設けた筆記用のボール３と略同形のボール座２ｆに、ボール径０．５ｍｍのボール３を載置し、チップ先端部２ｇより一部が突出するように回転自在に包持して構成してある。
【００２０】
インキ流通孔２ａのボール包持室２ａには、図１に示すように、後部が縮径されることで底壁２ｄが形成され、ボール包持室２ｃの中央部には径小のインキ連絡路２ｈが後方へ延びる様に形成してある。また、インキ流通孔２ａの後部にはチップ後部孔２ｉが形成され、チップ後部孔２ｉの前部は縮径されることで前壁２ｊを形成してある。そして、前壁２ｊの中央部にはインキ連絡路２ｈが接続され、ボール包持室２ｃとチップ後部孔２ｉとが連通するよう構成してある。
【００２１】
また、インキ連絡路２ｈには、インキ連絡路２ｈの外周部から放射状に延びるように形成されたインキ流通溝２ｂとして、チップ後部孔２ｉの前壁２ｊからボール包持室２ｃに連通しないよう形成された第１インキ溝２ｂ１と、ボール包持室２ｃの底壁２ｄからチップ後部孔２ｉまで連通しないよう形成された第２インキ溝２ｂ２と、を設けてある。
【００２２】
ここで、ボールペンチップ１の製造方法について詳述すると、図１から図４に示すように、チップ本体２に、ボール抱持室２ｃと、ボール抱持室２ｃの底壁２ｄの中央にインキ連絡路２ｈと、チップ本体２の後部にチップ後部孔２ｉを形成した後、図４（Ａ）に示すように、チップ後部孔２ｉ側から前方へ向かって１２０°間隔で合計３つの突起部がある溝形成用ツールＸを前壁２ｊに対して打ち込み、インキ連絡路２ｈから外方へ向って放射状に延びる３つの第一インキ溝２ｂ１を形成してある。この際、溝形成用ツールＸによって前方へ打ち込まれた３箇所の溝部分の前部は、図４（Ｂ）及び図４（Ｃ）に示すように、溝形成用ツールＸの突起部に押されてボール包持室２ｃの底壁２ｄから前方へ向って突出し、その突出部が肉盛り部２ｅとして形成される。
次に、ボール包持室２ｃ側から後方へ向かって１２０°間隔で合計３つの突起部がある溝形成用ツールＹ（図示せず）を底壁２ｄに対して打ち込み、インキ連絡路２ｈから外方へ向って放射状に延びる３つの第ニインキ溝２ｂ２を形成してある。尚、第一インキ溝２ｂ１と第二インキ溝２ｂ２は図２及び図３に示すように横断面から視た際に、軸周方向に６０°ずらした状態で形成してあり、第一インキ溝２ｂ１と第二インキ溝２ｂ２は直接は連通せず、インキ連絡路２ｈを介して連通するよう形成してある。そして、第一インキ溝２ｂ１に比べて第二インキ溝２ｂ２の方が、形成される溝幅、溝深さ、溝の外周径が小さくなるよう形成することで、溝形成時に第一インキ溝２ｂ１が変形することを防止してある。
次に、チップ先端部２ｇ側からボール３をボール包持室２ｃに挿入して肉盛り部２ｅに載置し、その状態で、ボール３を後方へ押圧することで、肉盛り部２ｅの前部にボール座２ｆを形成し、更に、その状態からチップ本体２のチップ先端部２ａを内側にかしめることにより、ボール３の一部をチップ本体２の先端部より前方へ突出させた状態で回転自在に抱持し、ボールペンチップ１を得ている。
【００２３】
そして、図５に示すのは、本発明のボールペンチップ１をボールペンレフィル１０として用いた例である。具体的には、筒状の連結体１１の先端部に本実施例のボールペンチップ１を圧入装着し、連結体１１の後部にインキ収容筒１２を圧入装着し、インキ収容筒１２内に剪断減粘性を付与した水性ボールペン用のインキ４と、グリース状のインキ追従体１４と、を収容してある。また、インキ収容筒１２の後部には前後に貫通する空気孔を有する尾栓１３を圧入装着してある。
【００２４】
次に、図１から図３及び図５を用いてインキ４がチップ本体２の後方にあるインキ収容筒１１からチップ先端部２ｇまで流れる過程を説明する。
ボールペンレフィル１０を用いて紙面に筆記すると、インキ収容筒１２から流れてきたインキ４は、チップ後部孔２ｉからインキ連絡路２ｈに入る際、インキ４の流路が狭くなることでインキ４の流動性が低下するが、チップ後部孔２ｉから前方へ向って形成した第一インキ溝２ｂ１に流れることでインキ４の流動性の低下が低減される。また第一インキ溝２ｂ１の前端まで流れてきたインキ４は、ボール包持室２ｃの底壁２ｄ側から形成された第二インキ溝２ｂ２にインキ連絡路２ｈを介して流れるため、インキ４はスムーズに前方へ向って流れていき、第ニインキ溝２ｂ２とインキ連絡路２ｈからボール包持室２ｃにインキが供給される。そして、ボール包持室２ｃには、肉盛り部２ｅにより周囲にインキ４が流れるインキ流路とインキ４の溜め部が形成されるため、ボール３に対してインキ４が淀みなく供給され続ける。このため、紙面へ筆記した際の筆跡の濃度及び線幅の変化、筆記かすれの発生を防止でき、安定した筆跡での筆記が可能となる。
【００２５】
尚、ボールペンチップ１の製造方法は前述した方法に限定されるものではないが、前述した方法で形成する場合、第一インキ溝２ｂ１を形成することで、同時にボール包持室２ｃに肉盛り部２ｅが形成され、更に、肉盛り部２ｅは溝形成用ツールＸにより打ち込まれた部分が盛り上がり塑性変形することで形成されるため、その肉盛り部２ｅの各稜線は角ばらずに略曲線状ないしテーパ状に形成される。このため、２箇所の部位の加工が同時にできると共に、肉盛り部２ｅが曲線的な形状になることで、肉盛り部２ｅの回りを流れるインキ４がスムーズに流れる効果を奏する。更に、肉盛り部２ｅにはボール３が載置され、筆記時にボールが回転する際の支持部となることから、曲線部によりボール３との接触抵抗が減ることで筆記時に滑らかにボール３が回転する。このため、良好な加工性とインキ流動性に加えて良好な筆感を得ることができることから前述した溝形成用ツールＸを打ち込む加工により肉盛り部２ｅを同時に形成することが好ましい。
【００２６】
以上により、本発明の実施形態を取ることで、ボール包持室にインキを溜める空間を確保すると共に、ボール保持室にインキがしっかり供給されるボールペンチップを提供することができた。
【産業上の利用可能性】
【００２７】
本発明のボールペンチップは、使用するインキに限定されることなく使用可能で、油性ボールペン用インキや水性ボールペン用インキ、剪断減粘性を付与したインキ、修正用インキなど、インキの種類に関わらず使用することができるため、ボールを筆記媒体とするボールペンチップとして広く利用可能であり、特にインキ消費量を多くする場合に効果的に用いることができる。
【符号の説明】
【００２８】
１…ボールペンチップ、
２…チップ本体、２ａ…インキ流通孔、２ｂ…インキ流通溝（２ｂ１…第１インキ溝、２ｂ２…第２インキ溝）、２ｃ…ボール包持室、２ｄ…底壁、２ｅ…肉盛り部、２ｆ…ボール座、２ｇ…チップ先端部、２ｈ…インキ連絡路、２ｉ…チップ後部孔、２ｊ…前壁、
３…ボール、
４…インキ、
１０…ボールペンレフィル、
１１…連結体、
１２…インキ収容体。
１３…尾栓。
１４…インキ追従体。
【図１】
2020138480.tif 000003
【図２】
2020138480.tif 000004
【図３】
2020138480.tif 000005
【図４】
2020138480.tif 000006
【図５】
2020138480.tif 000007